(57)【要約】【課題】傾斜角度を任意に変更可能な支持金具を提供する。【解決手段】傾斜した床部材２を支持する支持金具１であって、床部材２に接続される本体部材１１と、本体部材１１に対して水平軸回りに相対回動可能に連結された一対の脚部材１２と、を有する。このような支持金具１によれば、床部材２に接続される本体部材１１に対して、脚部材１２が水平軸回りに相対回動可能に連結されているので、本体部材１１の傾斜角度を任意に変更することができる。そのため、傾斜した縦根太２１の傾斜角度に本体部材１１の傾斜角度を容易に合わせることができるので、一種類の支持金具１で様々な傾斜角度の床部材２を支持することが可能になる。【選択図】図３
2016151157.tif 000002
【特許請求の範囲】
【請求項１】
傾斜した床部材を支持する支持金具であって、
前記床部材に接続される本体部材と、
前記本体部材に対して水平軸回りに相対回動可能に連結された脚部材と、を有する支持金具。
【請求項２】
前記本体部材は、前記床部材に接続される接続部と、前記接続部の一方及び他方の端部から下向きに延出する一対の延出部と、を有し、
前記脚部材は、前記各延出部にそれぞれ連結される一対の連結部を有し、
前記各延出部及び前記各連結部は、前記延出部及び前記連結部を貫通する水平軸部材を介して相対回動可能に連結されていることを特徴とする請求項１に記載の支持金具。
【請求項３】
前記連結部は、上端部から側端部に向かって下り傾斜するテーパ部を有することを特徴とする請求項２に記載の支持金具。
【発明の詳細な説明】
【技術分野】
【０００１】
本発明は、傾斜して配置された床部材を支持する支持金具に関する。
【背景技術】
【０００２】
従来から、建物の出入口や床面に形成された段差部にスロープを設置して段差を緩和することがある。例えば、特許文献１には、建物構造体に順次高さを変えて設置した複数の床受金具と、前記各床受金具に載置し順次高さを変えて横並びに設置した複数の床パネルと、前記各床パネル上に掛け渡して設けた床表面材と、前記各床パネルと床表面材との間に介挿したスペーサとを備えたバルコニー床構造が開示されている。
【先行技術文献】
【特許文献】
【０００３】
【特許文献１】特開平８−１９９６７６号公報
【発明の概要】
【発明が解決しようとする課題】
【０００４】
しかしながら、特許文献１の床構造では、床パネルに対する床表面材の傾斜角度に合致した傾斜を有するスペーサを介挿する必要がある。そのため、傾斜角度の異なるスロープ（床構造）を作成する場合には、傾斜角度の異なるスペーサを用意しなければならず、部品点数や製造コストが増加してしまうという問題があった。
【０００５】
このような観点から、本発明は、傾斜角度を任意に変更可能な支持金具を提供することを課題とする。
【課題を解決するための手段】
【０００６】
本発明は、傾斜した床部材を支持する支持金具であって、前記床部材に接続される本体部材と、前記本体部材に対して水平軸回りに相対回動可能に連結された脚部材と、を有することを特徴とする。
【０００７】
このような構成によれば、床部材に接続される本体部材に対して、脚部材が水平軸回りに相対回動可能に連結されているので、本体部材の傾斜角度を任意に変更することができる。そのため、傾斜した床部材の傾斜角度に本体部材の傾斜角度を合わせることがでるので、一つの支持金具で様々な傾斜角度の床部材を支持することが可能になる。
【０００８】
また、前記本体部材は、前記床部材に接続される接続部と、前記接続部の一方及び他方の端部から下向きに延出する一対の延出部と、を有し、前記脚部材は、前記各延出部にそれぞれ連結される一対の連結部を有し、前記各延出部及び前記各連結部は、前記延出部及び前記連結部を貫通する水平軸部材を介して相対回動可能に連結されている構成としてもよい。
【０００９】
このような構成によれば、連結部に対して水平軸部材を中心に延出部を回動させることで、接続部の傾斜角度を任意に調節することができる。そのため、一つの支持金具で様々な傾斜角度の床部材を支持することが可能になる。なお、延出部と連結部をビスで回動不能に固定すれば、接続部の傾斜角度を固定することができる。
【００１０】
また、前記連結部は、上端部から側端部に向かって下り傾斜するテーパ部を有する構成としてもよい。
【００１１】
このような構成によれば、本体部材を傾斜させたときに、連結部の上端部が接続部の上面よりも突出するのを抑制することができる。
【発明の効果】
【００１２】
本発明によれば、傾斜角度を任意に変更可能な支持金具を提供することができる。
【図面の簡単な説明】
【００１３】
【図１】本実施形態に係る支持金具に支持された床部材の一部を切り欠いて示した斜視図である。
【図２】（ａ）は床部材の一部を透過して示した平面図、（ｂ）は側面図、である。
【図３】（ａ）は図１のＡ部を拡大した斜視図、（ｂ）は（ａ）の側面図、である。
【図４】本実施形態に係る支持金具の斜視図である。
【図５】本実施形態に係る支持金具の分解斜視図である。
【図６】（ａ）は支持金具の平面図、（ｂ）は支持金具の正面図、（ｃ）は支持金具の側面図、である。
【図７】変形例に係る支持金具を含む床部材の断面図である。
【発明を実施するための形態】
【００１４】
本発明の実施形態に係る支持金具について図面を参照しつつ詳細に説明する。なお、説明において同一要素には同一の符号を用い、重複する説明は省略する。
【００１５】
図１に示すように、本実施形態に係る支持金具１は、傾斜した床部材２と支持面との間に配置されて、床部材２を下側から支持する部材である。床部材２は、複数の縦根太２１と複数の横根太２２とを格子状に組み合わせてなる床下地２３と、床下地２３の上側に張着された床パネル２４と、床パネル２４の上側に張着された床仕上材２５と、から構成されている。
【００１６】
縦根太２１及び横根太２２は、長尺の鋼製部材であり、断面視でフランジ２１ａ（図３参照）を有する溝形状（ハット形状）に形成されている。縦根太２１は、長手方向を勾配方向と平行にして配置されている。横根太２２は、長手方向を勾配直交方向と平行にして配置されている。縦根太２１及び横根太２２は、溝の開口部を下に向けて設置されている。横根太２２のフランジは、縦根太２１の溝の底面にビスで固定されている。
なお、縦根太２１及び横根太２２は、これに限定されるものではなく、例えば木製の角材等で構成してもよい。
【００１７】
図１、図２に示すように、床下地２３は、斜面の上側部分では縦根太２１及び横根太２２を格子状に組み合わせて構成されている。また、支持面３から床パネル２４までの離間距離が縦根太２１と横根太２２の高さを合わせた寸法よりも小さい範囲（斜面の下側部分）では、床下地２３は縦根太２１のみで構成されている。斜面の下側部分において、縦根太２１同士の間隔は、格子状に配置された部分における縦根太２１同士の間隔よりも小さい。なお、支持面３から床パネル２４までの離間距離が縦根太２１の高さ寸法よりも小さい範囲には、例えば木材で形成された断面視三角形状の裏当て材２６が設置されている。
【００１８】
床パネル２４は、床下地２３の上に張着される板状の部材であり、例えば構造用合板等で構成されている。
床仕上材２５は、床パネル２４の上に張着される板状の部材であり、例えば表面に塗装等の仕上処理が施されたフローリング板等で構成されている。
【００１９】
図２乃至図６に示すように、支持金具１は、傾斜した床部材２を下側から支持する部材である。支持金具１は、縦根太２１の長手方向に所定間隔を空けて複数設置されている。支持金具１は、支持面である床面Ｆ上に、直接又は後記する床束３０を介して設置されている。図３に示すように、支持金具１は、縦根太２１に接続される本体部材１１と、本体部材１１に対して水平軸回りに相対回動可能に連結された一対の脚部材１２，１２と、本体部材１１と一対の脚部材１２，１２とを相対回動可能に連結する水平軸部材１３と、を有している。
【００２０】
本体部材１１は、縦根太２１の傾斜に沿って配置される部材であり、金属板をコ字状に折り曲げて形成されている。本体部材１１は、上壁を構成する平面視長方形状の接続部１４と、接続部１４の一方及び他方の端部から下向きに延出する一対の延出部１５，１５と、を有している。
【００２１】
図３に示すように、接続部１４は、縦根太２１の溝開口部を跨ぐように配置されており、縦根太２１の両側のフランジ２１ａにビス等の固定具で固定されている。
【００２２】
一対の延出部１５，１５は、縦根太２１の長手方向及び上下方向と平行に配置されている。延出部１５は、縦根太２１に沿って本体部材１１を傾斜させた状態で、後記する連結部１６にビス等の固定具で固定される。図５に示すように、一対の延出部１５の中央部には、水平軸部材１３を挿通するための貫通孔１５ａが形成されている。図６（ｃ）に示すように、一対の延出部１５，１５の下端部１５ｂは、接続部１４と非平行に形成されている。
【００２３】
図３乃至図６に示すように、一対の脚部材１２，１２は、本体部材１１を支持する部材であり、金属板をＬ字状に折り曲げて形成されている。各脚部材１２は、延出部１５に連結される壁状の連結部１６と、連結部１６の下端部１６ｅから外側に折り曲げて形成された折曲部１７と、を有している。
【００２４】
連結部１６は、延出部１５の外側に重ねて配置されている。図５に示すように、連結部１６の中央部には、水平軸部材１３を挿通するための貫通孔１６ａが形成されている。連結部１６は、上端部１６ｂから側端部１６ｃに向かって下り傾斜するテーパ部１６ｄを有している。連結部１６の上端部１６ｂは、接続部１４よりも下方に位置している。また、連結部１６の下端部１６ｅは、延出部１５の下端部１５ｂよりも下方まで延出している。
折曲部１７は、支持面である床面Ｆ又は床束３０（図３参照）にビス等の固定具で固定されている。
【００２５】
図３乃至図６（主に図５）に示すように、水平軸部材１３は、本体部材１１と脚部材１２とを相対回転可能に連結する部材である。水平軸部材１３は、縦根太２１の長手方向と直交する方向に水平に配置されている。本体部材１１は、この水平軸部材１３を回動軸として上下方向に回動する。水平軸部材１３は、ボルトＢとナットＮとワッシャＷとで構成されている。ボルトＢは、延出部１５の貫通孔１５ａと連結部１６の貫通孔１６ａに挿通されている。ワッシャＷは、例えばスプリングワッシャであり、ボルトＢ及びナットＮの緩み止めの機能を有する。
【００２６】
図３に示すように、床束３０は、支持金具１と床面Ｆとの間に設置される部材である。床束３０は、基板３１と、基板３１に立設された支柱３２と、支柱３２に昇降可能に支持された昇降板３３と、を備えている。図示は省略するが、昇降板３３には貫通孔が形成されており、この貫通孔に支柱３２が挿通されている。また、図３（ｂ）に示すように、支柱３２の外周面には雌ねじ３２ａが形成されており、この雌ねじ３２ａに螺合されたナットＮを上下させることで、昇降板３３の高さを調節することができる。昇降板３３には、支持金具１の折曲部１７がビス等の固定具で固定されている。
【００２７】
本実施形態に係る支持金具１を用いたスロープ床構造は以上の通りであり、次に、スロープ床構造の製造方法と支持金具１の作用効果を説明する。
【００２８】
始めに、図２（ｂ）に示すように、床面Ｆ上の所定位置に床束３０を設置し、昇降板３３の高さを調整する。その後、昇降板３３の上に支持金具１を設置する。なお、床束３０が不要な箇所においては、床面Ｆ上に支持金具１を直接設置する。このとき、本体部材１１は、一対の脚部材１２に対して回動自在な状態にしておく。また、スロープの最も低い箇所には裏当て材２６を設置しておく。
【００２９】
次に、図３に示すように、縦根太２１を所定の傾斜角度で支持金具１上に設置する。このとき、本体部材１１は縦根太２１に当接して回動し、縦根太２１に沿った角度に傾斜した状態になる。この状態で、縦根太２１のフランジを接続部１４に固定するとともに、延出部１５を連結部１６に固定する。これにより、支持金具１の本体部材１１の傾斜角度を縦根太２１の任意の傾斜角度に容易に合わせることができる。
なお、縦根太２１を本体部材１１の上に設置するより先に、本体部材１１を所定の傾斜角度に固定してもよい。
【００３０】
次に、縦根太２１の上に横根太２２を所定間隔で設置して格子状の床下地２３を構築する。なお、スロープの下側領域では横根太２２を省略し、縦根太２１のみで床下地２３を構成する。そして、床下地２３及び裏当て材２６の上に床パネル２４及び床仕上材２５を設置することでスロープ床構造が完成する。
【００３１】
このように、本実施形態に係る支持金具１は、傾斜した床部材２を支持する支持金具１であって、床部材２（より詳しくは床下地２３）に接続される本体部材１１と、本体部材１１に対して水平軸回りに相対回動可能に連結された一対の脚部材１２と、を有する。
【００３２】
このような支持金具１によれば、床部材２に接続される本体部材１１に対して、脚部材１２が水平軸回りに相対回動可能に連結されているので、本体部材１１の傾斜角度を任意に変更することができる。そのため、傾斜した縦根太２１の傾斜角度に本体部材１１の傾斜角度を容易に合わせることができるので、一種類の支持金具１で様々な傾斜角度の床部材２を支持することが可能になる。その結果、部品点数の低減及びコストの削減を図ることができる。
【００３３】
また、本体部材１１は、床部材２に接続される接続部１４と、接続部１４の一方及び他方の端部から下向きに延出する一対の延出部１５と、を有し、脚部材１２は、各延出部１５にそれぞれ連結される一対の連結部１６を有し、各延出部１５及び各連結部１６は、一対の延出部１５及び一対の連結部１６を貫通する水平軸部材１３を介して回動可能に連結されている。
【００３４】
このような構成によれば、連結部１６に対して水平軸部材１３を中心に延出部１５を回動させることで、接続部１４の傾斜角度を任意に調節することができる。そのため、一つの支持金具１で様々な傾斜角度の床部材２を支持することが可能になる。なお、接続部１４を傾斜させた後に延出部１５と連結部１６をビスで回動不能に固定すれば、接続部１４の傾斜角度を維持することができ、きしみなどの騒音（床鳴り）を低減することができる。
【００３５】
また、連結部１６は、上端部１６ｂから側端部１６ｃに向かって下り傾斜するテーパ部１６ｄを有する。
【００３６】
このような構成によれば、本体部材１１を傾斜させたときに、連結部１６の上端部１６ｂが接続部１４の上面よりも突出するのを抑制して、縦根太２１が連結部１６に接触するのを抑制することができる。
【００３７】
また、一対の延出部１５の下端部１５ｂは、接続部１４に対して非平行に形成されている。この場合、下端部１５ｂを水平にしたときに、接続部１４がスロープの勾配としてよく用いられる角度になるように、両者の角度差を設定すれば、勾配の設定が容易になるとともに、仕上がり時の意匠性が向上する。
【００３８】
以上、本発明を実施するための形態についてそれぞれ説明したが、本発明は前記の実施形態に限定されず、本発明の趣旨を逸脱しない範囲で、材質、形状、大きさなど適宜設計変更が可能である。
【００３９】
また、前記実施形態では、一対のＬ字状の金属片で脚部材１２を構成したが、本発明はこれに限定されるものではない。例えば、上向きに開口した溝状（コ字状）の金属片で一体成型された脚部材を構成してもよい。
【００４０】
また、前記実施形態では、各部材をビスで固定したが、本発明はこれに限定されるものではなく、釘、ボルト、溶接等の他の固定手段で固定してもよい。
【００４１】
また、前記実施形態では、支持金具１の上に格子状の床下地２３を設置したが、本発明はこれに限定されるものではない。例えば、図７に示すように、所定高さに調節した床束３０の上に横根太２２を設置し、その横根太２２の上に支持金具１を設置し、さらにその支持金具１の上に傾斜した縦根太２１を設置してもよい。このようにすれば、支持金具１毎に床束３０を設置する必要がないので、床束３０の数量を低減することができる。
【符号の説明】
【００４２】
１      支持金具
１１    本体部材
１２    脚部材
１３    水平軸部材
１４    接続部
１５    延出部
１６    連結部
１７    折曲部
２      床部材
２１    縦根太
２２    横根太
２３    床下地
２４    床パネル
２５    床仕上材
３０    床束
【図１】
2016151157.tif 000003
【図２】
2016151157.tif 000004
【図３】
2016151157.tif 000005
【図４】
2016151157.tif 000006
【図５】
2016151157.tif 000007
【図６】
2016151157.tif 000008
【図７】
2016151157.tif 000009